(57)【特許請求の範囲】
【請求項１】
内側が曇らない様に防曇処理された透明材料を円筒状に加工した側壁面（４）に同一材料にて同じく防曇処理された天井面（５）を密着させてドーム状の覆いを作り、芯材（２）を上下より水や空気を通過させない材料（３）で被服した底面（１）と密着する。前記のドーム状の覆いには任意の位置に通路に突起を押し込み通路を遮断する方式の小さな栓（６）を取り付ける。この容器内に土砂（７）を敷設し容器内の環境に適合する植物（８）を植え、密閉状態にて生育させることで日々の水やり等の手入れを省略することが可能となることを特徴とする植物栽培用密閉容器。
【発明の詳細な説明】
【０００１】
【発明の属する技術分野】
本発明は冬枯れの時期にみずみずしい緑の植物を日々の手入れをしなくても生育させて観賞することが出来る。密閉容器内の植物を観賞しやすくする為にドーム状の覆い部分の透明材料は防曇処理されたものを用いるので密閉容器内部が曇って見えなくなることはない。又、容器自体が密閉構造の為に室内のどこに置いても置き場を汚すことがないので生きた植物をつかった室内インテリア用品として利用でき従来からの植木鉢や生け花とは意味合いが違い別なものである。
【０００２】
【従来の技術】
植木鉢を室内、例えばサイドボード上に置く時は鉢の底から漏れる水や土砂による汚れを防止するために受け皿に乗せて置く必要がある。植物によっては毎日水をやり日光に当てる等の気配りをしないとすぐに弱ってしまう。特に冬季は温室にて育てた草花の植木鉢が売られており、これらは環境の変化に対して弱いので気配りが大変である。
【０００３】
サボテンの鉢植えで、植えてある部分以外を接着剤で固め土砂からの水の蒸発を押さえて長期間水を与えなくても枯れない方式のものが売られている。本来サボテンは乾きに対して強い植物であり本発明の様にみずみずしく繊細な緑の植物を冬枯れ時期に観賞するものとは違うものである。
【０００４】
又、幼植物体を育てる密閉容器が公開されているが、これは幼植物体を良好に育てる為に無菌状態を作ることが目的で、容器内の空気は菌を取り去る為のフィルターを介して入れ替えている。実開平０１−１５５３９９
【０００５】
【発明が解決しようとする課題】
室内に置く植物の鉢を管理するには土砂の乾きに応じた水やり、日光に当てる、植物についたほこりを払う、昼夜の温度差等に対して日々の配慮が必要なので旅行などで家を空ける時はそれなりの対策を取らねばならない。本発明の目的は前記の様な日々の手入れをしなくても冬季でもみずみずしい緑の植物を身近に置き楽しむ方法を提供するものである。
【０００６】
【課題を解決する為の手段】
本発明の植物栽培用密閉容器は内側が曇らない様に防曇処理された透明材料を円筒状に加工した側壁面４に同一材料にて同じく防曇処理された天井面５を密着させてドーム状の覆いを作り、芯材２を上下より水や空気を通過させない材料３で被服した底面１と密着する。前記のドーム状の覆いには任意の位置に通路に突起を押し込み通路を遮断する方式の小さな栓６を取り付ける。この容器内に土砂７を敷設し容器内の環境に適合する植物８を植え、密閉状態にて生育させることで日々の水やり等の手入れを省略することが可能となることを特徴とするものである。
【０００７】
本発明の植物栽培用密閉容器はその容器内の環境に適合した植物を植え、日々の水やり等の手入れをしなくても植物を生育させるものである。日々の水やりを行わないで生育させるには、ある程度の水がいつも確保されていなければならない。通常の植木鉢の場合には水は土砂から蒸発することと、植物が吸いあげ植物体より発散するのでその度合いに応じて水をやらなければならない。これを密閉容器とすることで土砂より蒸発したものと植物体より発散される水分を回収することが可能となる。従って容器内の水分は植物が大きくなることで植物体に吸収された分しか少なくなることはない。
【０００８】
密閉容器内の環境状態は水分が多く、湿度が高い。又、密閉された小空間である為に外界である居住室内よりも温度が高くなる傾向にある。しかも小空間であるがゆえに直射日光が当たると内部の温度がさらに高くなり植物を生育させることが困難となるので、直射日光の当たらない居住室内にて生育町能な植物を選択する必要がある。実際に青菜、ホウレン草、パセリ等の野菜で実施したが直射日光の当たらない居住室内に置いた密閉容器内では葉が腐って生育しなかった。しかし、湿地にて生育している植物でしかも日蔭を好む植物を選択すると居住室内に置いた密閉容器内でも生育することが実験結果より証明された。
【０００９】
日蔭を好む植物であるので直射日光に当てる必要はなく室内の明るさで生育する。室内に置いて観賞するものであるので、冬季でもある程度の温度が確保される為に一年性の植物で戸外では冬季に枯れてしまう植物でも本発明の密閉容器内では枯れずに生育する。しかし、夏季においては密閉容器内の温度が高くなり冬季よりも生育条件は悪化する。
【００１０】
通常の植木鉢に植えられた植物は大きくなる性質のものであれば生育条件を整えてやれば大きくなる。本発明の密閉容器では容器内にいっぱいになってしまう様に大きく育つ性質を持つ植物は適さない。
【００１１】
植物の光合成に欠かせない二酸化炭素は前記の様に植物体が大きくならないものを選定するために空気に含まれる二酸化炭素の量で十分であり特に二酸化炭素の補給又は空気の入れ替えは必要ないことが解った。植物は夜間の光の無い時は光合成とは逆に二酸化炭素を吐き出し、酸素を吸収しているのでこの点から推察しても空気の入れ替えを必要としない結果に至ったものと考えられる。従って密閉容器内の酸素濃度が高くなりすぎて危険をともなう事もない。
【００１２】
本発明では植物は限定しないが性質が苔に近い一年性の植物は背丈が高くならないことと密閉容器内での増殖状況、緑の美しさ等より良好な結果であり室内インテリア用品としての見栄えをそなえている。
【００１３】
【発明の実施形態】
ある程度の剛性を持つ底面１に内側が曇らない様に防曇処理された透明材料にて側壁面４と天井面５より構成されるドーム状の覆いに栓６を付けて底面１に密着させ密閉容器とするが、これらの材料は安価であること、さらに加工が簡単で製造コストを押さえることより、本発明の実施例としては底面１はボール紙２を芯として剛性を持たせ、このボール紙２を上下より塩化ビニール３で被服した。ド−ム状の覆いは防曇処理された透明の塩化ビニールとし、さらに栓６も塩化ビニール製とし安価で加工しやすい方法とした。以下に本発明の実施形態を図面に基づいて説明する。
【００１４】
図１は完成品の斜視図であり栓６よりストロー、注射器等により水を補給し空気を入れてふくらませた状態である。図２はふくらませた状態での容器のみの断面図をしめす。図２において容器はボール紙芯２とこれを上下より被服している塩化ビニール３より構成される底面１と防曇処理された透明塩化ビニール製の側壁面４及び防曇処理された塩化ビニール製の天井面５とからなる。又、栓６は塩化ビニール製で取り付け場所は底面１以外の任意の場所に取り付けても良いが、完成した時に中の植物８を見やすくする事と全体のデザインを考えて側壁面４に取り付けた。底面１、側壁面４、天井面５及び栓６は全て塩化ビニールでありこれらを溶着加工して密閉容器とするのであるが、溶着加工は高周波ウエルダーとそれぞれの溶着箇所に応じた金型で行うが溶着と切断を同時に行う手法で、これは高周波ウエルダー加工の一般的な方法であるので説明は省略する。
【００１５】
製作手順としては
イ  側壁面４になる防曇処理された塩化ビニールの展開長を計算し、生地を切り取り側壁面４となる方向で両端を溶着して円筒形とする。
ロ  前記円筒形の側壁面４に栓６を付ける場所に栓６の大きさに合わせた穴を明けて栓６を差し込み溶着する。後の工程で側壁面４と天井面５を溶着してからこの部分を反転する為に、栓６の取り付けは逆向きとしておく。すなわちこの時点では栓６は注入口が内側になる様に取り付ける。
ハ  栓６を付けた円筒形の側壁面４を金型にセットして天井面５となる防曇処理された塩化ビニールと溶着してドーム状の覆いを作る。この時に天井面５と側壁面４の溶着部及び側壁面４どうしの溶着部にバリが出ているのでドーム状の覆いを反転しバリが内側になる様にする。
ニ  円形に打ち抜いたボール紙芯２を上下より２枚の塩化ビニール３でサンドイチ状に挟み、この上に土砂７を敷設し植物８を植える。尚、この時ドーム状の覆いを溶着する部分に土砂がかからない様に敷設する。
ホ  ニの工程で土砂７を敷設した底面１にハの工程で製作したドーム状の覆いを金型にセットして底面１にかぶせ溶着する。尚、この時は底面１のボール紙芯２が金型の内側にすっぽりとはまる様な位置で溶着する。
ヘ  栓６より適量の水をストロー、注射器等を利用して注入する。
ト  栓６より空気を吹き込み全体をふくらます。
【００１６】
以上が基本的な製造工程であるが、この方法であると底面１に土砂をたくさん敷設することができない。その理由は前記ホの工程でドーム状の覆いを底面１に溶着する時に溶着箇所に土砂７の粒が有るとそこの所より空気や水が漏れて密閉状態とならない。敷設する土砂７が少ないと植物８の生育にはあまり関係しないが製品となってから輸送時に土砂７が密閉容器内で動いてしまう可能性が有る。
【００１７】
そこでイの工程で製作した円筒形の側壁面４に栓６を付けた後に反転し側壁面４の溶着部に出ているバリが内側になる様にしてから、天井面５を溶着するのではなく底面１と先に溶着する。その後土砂７を敷設し植物８を植えた後に天井面５を溶着すれば溶着部に土砂粒をかみこみ密閉不良となることがなくなる。底面全体に土砂７を敷設することにより製品となった時の輸送時に土砂７の移動によるトラブルがすくなくなる。しかし天井面５の溶着を底面１の溶着より先に行うとこの部分のバリ９が密閉容器の外側になるので商品デザイン上問題が残る。
【００１８】
【発明の効果】
冬枯れの時期に生きた緑の植物を身近に観賞し楽しむことができる。しかも、水やりや日光に当てる、さらに葉についたほこりを払う等の手入れは必要としない。置き場を汚すこともないのでどこにでも置け室内インテリア用品として緑の少ない都市部の家庭にうるおいを供せられる。
【図面の簡単な説明】
【図１】本発明品の斜視図
【図２】密閉容器のみの断面図
【符号の説明】
１  ボール紙芯を上下より塩化ビニールで被服した底面
２  底面のボール紙芯
３  底面のボール紙芯を被服している塩化ビニール
４  防曇処理された透明塩化ビニール製の側壁面
５  防曇処理された透明塩化ビニール製の天井面
６  塩化ビニール製の栓
７  水を含んだ土砂
８  容器内の環境に適合した植物
９  ウエルダー加工により生じるバリ
【図１】
0003583236.tif 000002
【図２】
0003583236.tif 000003